(57)【特許請求の範囲】
【請求項１】
義歯（ｇ）をユーザの歯茎に配置されたインプラントに固定するための中間部材を備えているインプラント支持式義歯であって、
前記義歯の内部に収容されたコンパートメント（１）であって、前記コンパートメント（１）を前記義歯の外側に連通させるため、前記義歯（ｇ）の開口部（２８）に対応して配置された側方開口部（１ａ）を有するコンパートメント（１）と、
前記コンパートメント（１）に含まれ、前記側方開口部（１ａ）を通じて駆動され、前記インプラントに近接して配置され、かつ、シャフト（２ｂ）に関節方式で連結された鋏のような２つのアーム（２ａ）を有するスペーサ（２）と、を備え、
前記スペーサ（２）が、工具によって駆動された場合に移動し、前記スペーサ（２）が前記インプラントに対して押し付けられることにより、前記義歯（ｇ）が前記インプラントから離間され、
前記スペーサ（２）の前記２つのアーム（２ａ）の少なくとも１つのアームは、その一方の端部領域において、相手方のアームおよび前記側方開口部（１ａ）に対向するキャビティ（２ｃ）を備え、
前記キャビティ（２ｃ）を有する前記アームとは反対側の上側アームが、前記工具がキャビティに導入された場合、前記アーム（２）を開き、前記義歯（ｇ）を前記インプラントから離間させるため、インプラントに近接して配置されていることを特徴とするインプラント支持式義歯。
【請求項２】
請求項１記載のインプラント支持式義歯において、
前記アーム（２）が開いた場合、前記インプラントに近接して配置された前記上側アームのみが、前記キャビティ（２ｃ）を有する前記アームとは反対側にある端部において変位するように、前記スペーサ（２）が前記コンパートメント（１）の内部で関節方式で固定されていることを特徴とするインプラント支持式義歯。
【請求項３】
請求項２記載のインプラント支持式義歯において、
前記インプラントに近接して配置された前記上側アームの前記端部が、前記インプラントが支持される段差部（２ｄ）を有することを特徴とするインプラント支持式義歯。
【請求項４】
請求項２記載のインプラント支持式義歯において、
前記コンパートメントが、前記キャビティ（２ｃ）が含まれている両方のアーム（２ａ）の前記端部を開かせるように、前記側方開口部（１ａ）が含まれているフレア（２ｆ）を備えていることを特徴とするインプラント支持式義歯。
【請求項５】
請求項１記載のインプラント支持式義歯において、
前記コンパートメント（１）の前記側方開口部（１ａ）が、前記コンパートメントへの食物片の侵入を防止するためのプラグ部材を有することを特徴とするインプラント支持式義歯。
【請求項６】
請求項５記載のインプラント支持式義歯において、
前記プラグ部材が、前記入口開口部を覆い、かつ、前記工具が導入された場合に変位する柔軟性があるメンブレンであることを特徴とするインプラント支持式義歯。
【請求項７】
請求項１記載のインプラント支持式義歯において、
両方のアーム（２ａ）が、前記コンパートメント（１）の前記側方開口部（１ａ）に前記工具が導入されたときに前記スペーサ（２）が開くのを容易にするため、前記義歯の後部に向かって横方向に延在する形状を有し、かつ、前記工具の形状と相補的であるそれぞれの空洞（２ｃ）を備えていることを特徴とするインプラント支持式義歯。
【発明の詳細な説明】
【技術分野】
【０００１】
本発明は、インプラント支持式義歯、義歯を自動的に抜去するための抜去装置、義歯をインプラントに固着するための副子部材、および義歯をインプラントに取り付けるための副子部材に関する。これらはすべて、抜去装置によって義歯を自動的に抜去することを可能にする。本発明は、口腔インプラントにおける口腔リハビリテーションの分野および義歯の分野に含まれる。
【背景技術】
【０００２】
任意のタイプの歯科用インプラントを基礎として患者の口腔に取り付けられる従来技術の義歯（義歯）は、インプラント支持式義歯と呼ばれ、他の市販の義歯と比較して患者の口腔に堅固に取り付けられるという利点を有する。しかし、堅固に取り付けられていることは、義歯を毎回の食事後または少なくとも１日に１回のクリーニングのために口腔から抜去する際には欠点となる。
【０００３】
患者の口腔内に固着された歯科用インプラントに義歯を固定するために、義歯は可撓性材料からなる中間部材を有する。この柔軟性により、義歯をインプラントに対して固着かつ抜去することができる。これら中間部材の硬度が異なるため、堅固な固着性がある一方で義歯を抜去することができるように、歯科医が中間部材の各硬度の組み合わせを選択しなければならない。実際の患者に関する堅固な固着および抜去の間の均衡を見出すことは、患者に対する膨大な数の臨床検査および多大な不快感をもたらすだけではなく、柔軟性がある中間部材を交換および修復しなければならず、これらのすべての結果として歯科医院および患者にとってコストがかさむ。この問題は、固着箇所が増えるほど、さらには体力が弱い人、不慣れな人または介護者に依存している人にとってより深刻である。
【発明の概要】
【発明が解決しようとする課題】
【０００４】
今日、義歯の取り外しは、専門的技術によって一端から始まる義歯のハウジングから義歯を分離し、かつ、指を用いて徐々に固着箇所から分離するまで力を作用させることによって行われ、前記のように多くの場合は困難または不可能である。インプラント支持式義歯を抜去するために特別に設計された工具または装置は存在しない。既存の工具は、従来の義歯または総義歯のために作られている。これらの工具は、義歯または人工義歯における「隅角部位」または「突起部位」を掴むために作られた「フック」または「曲げクランプ」の形態の、非常に基本的で堅固な一体的な工具である。認定された専門家によってこれらの工具が使用されたとしても、力をかけたときの「スリップアップ（誤操作）」または「スリップ（滑り）」は、ユーザの口腔歯科構造に裂傷、傷害、挫傷、骨折などを引き起こすため、これらの工具を使用する危険性は非常に高い。
【０００５】
本発明は、新しい装置のヘッドを義歯の一方の側方に導入し、ボタンを押すことによって義歯を自動的に抜去することを可能にする。抜去の強度は、手作業によるそれよりはるかに優れている。好ましくはヘッドが義歯の最初の固着箇所に隣接して配置され、当該固着箇所が引き離されると、残りの固着箇所が逐次的に引き離される。
【０００６】
当該装置は、手作業または基本的な工具を用いる既存の方法における傷害の危険性を払拭しながら、義歯を安全に、迅速にかつ自動的に抜去することができる。さらに、歯科医院において義歯を最初に配置するときから、より硬質で可撓性がある中間担持片を使用することが可能になり、最初から最良の結果を患者にもたらし、歯科医院への反復訪問を防ぎ、堅固な固着および手作業の抜去の間の均衡を見出す。
【課題を解決するための手段】
【０００７】
この種のインプラント支持式義歯の殆どのユーザが、当該義歯が抜去されたときに経験する重大な困難を回避するため、本発明は、義歯を自動的に除去するため、新規な義歯、義歯を抜去するための新規な抜去装置、義歯をインプラントに固着するための新規な副子部材、および義歯をインプラントに固着するための新規なインプラントスプライニングバーを提供し、インプラント支持式義歯のユーザまたはその介護者にとっての使用の信頼性、単純性および簡易性を担保する。
【０００８】
前記のように、インプラント支持式義歯は、ユーザの歯茎にあらかじめ配置されたインプラントに対して当該義歯を固定するための中間部材を有する。本発明の義歯の主要な新規性は、義歯の内部に収容された少なくとも１つのコンパートメントを有し、コンパートメントが義歯の外部と連通するように義歯の開口部に対応して配置された側方開口部を備えている点にある。さらに、義歯はコンパートメントの内部に収容されるスペーサを備え、当該スペーサは側方開口部を通じて作動させることができ、かつ、インプラントに近接して配置されている。この全体的な構成は、スペーサが工具によって駆動されたとき、インプラントに対して押し付けられ、インプラントから義歯を離間させる。
【０００９】
本発明の好ましい実施形態では、スペーサは、鋏のようにシャフトに関節方式で連結された２つのアームを備え、少なくとも一方のアームの一端部に、他方のアームおよび側方開口部に面しているキャビティが設けられている。さらに、キャビティを有する一方のアームと反対側にある上側アームがインプラントに近接して配置され、工具がキャビティに導入されたときにアームが開かれ、義歯がインプラントから離間して自動的に抜去される。
【００１０】
スペーサがコンパートメントの内側に関節方式で固定され、アームが開いたときに、キャビティを有する一方のアームとは反対側にある端部においてインプラントに近接して配置されている上側アームのみが動かされる。抜去を補助するため、インプラントに近接して配置された上側アームの端部は、インプラントが支持される段差部を有している。
【００１１】
さらに、好ましい実施形態では、コンパートメントは、キャビティが含まれる両方のアームの端部を開くことができるように、側方開口部が含まれるフレアを備えている。
【００１２】
本発明は、コンパートメントの側面開口部が、食品片がコンパートメントに侵入することを防止するためのプラグ部材を有していてもよい。このプラグ部材は、入口開口部を覆い、工具が導入されたときに移動する可撓性のメンブレンであってもよい。
【００１３】
好ましい実施形態では、両方のアームが、義歯の後部に向かって横方向に延在し、キャビティに導入される工具の一部と相補的な形状を有するキャビティを有していてもよく、この構成により、工具がコンパートメントの側方開口部に導入されたときにスペーサを容易に開くことができる。
【００１４】
さらに、本発明は、前記した義歯を自動的に抜去するための装置に関し、当該抜去装置は、第１プランジャが設けられたヘッドを備え、第１プランジャおよびヘッドが両方ともコンパートメントの側方開口部を介して当該コンパートメントに導入されるように構成されている。当該装置は、第１プランジャを双方向に移動させるための手段を備え、当該構成により、ヘッドがコンパートメントの開口部に導入されたとき、第１プランジャをヘッドの外に動かしてスペーサを動かすことにより、義歯が抜去される。同様に、第１プランジャが反対方向に動かされたとき、ヘッドがコンパートメントから抜きだされ、他の義歯を抜去する準備が整えられる。
【００１５】
第１プランジャの前端部は、義歯のスペーサのキャビティに導入されるように設けられたパンチを有している。
【００１６】
さらに、第１プランジャは、第１プランジャと相補的な拡張可能部材が連結される傾斜フレアを備え、第１プランジャが外側に動くと、拡張可能部材が拡径してコンパートメントに固定される。ヘッドがコンパートメントに固定されているので、第１プランジャが動くことにより、ユーザは格段の努力を伴わずに、パンチをスペーサヘッドのキャビティに導入させることができる。
【００１７】
本発明では、拡張可能部材を第１プランジャと一定の接触状態に維持するため、拡張可能部材が、ヘッドにおけるリングおよび環状カバーによって支持されているコイルバネによって付勢されていてもよい。拡張可能部材は、第１プランジャがヘッドから外側に導出されたときにヘッドをコンパートメントの内側に堅固に固定し、第１プランジャがスペーサのキャビティに導入されたときに第１プランジャがコンパートメントから導出されることを防止するように、コンパートメントの内壁に当接する周縁リップを備えている。
【００１８】
プランジャを双方向に動かすため、第１プランジャが配置されているチャンバをヘッドが備え、当該チャンバの後部が第１プランジャの双方向への動作を制御する油圧回路に連通している。
【００１９】
ヘッドは、油圧回路が設けられているハンドルに配置されている。油圧回路は、減速ギヤおよびビルトイン式の干渉防止電子回路を有する電動モータを備えている。電動モータは、ハンドルに固定されているネジに螺合しているネジ付きブッシュを双方向に角運動させる。ブッシュおよびネジには、第２プランジャを有し、かつ、チャンバの後部に連通する導管が設けられ、スイッチを通じて電子回路によってモータが駆動されたとき、第２プランジャが縦方向について双方向に動かされる。電子回路およびモータにはバッテリから電力が供給される。
【００２０】
さらに、ヘッドは、第１プランジャのキャビティの後部をネジの導管に連通させる導管が設けられている柔軟性があるネックに取り付けられ、これにより患者の口腔に指を入れることなくヘッドが義歯の側方開口部に導入されうる。ネックはハンドルに固定され、修理を容易にするために取り外し可能な固定であってもよい。本発明は、装置の全ての部材が取り外し可能であり、修理を容易にしている。
【００２１】
本発明の一実施形態では、装置は、拡張管を介してチャンバの後部と連通したネックの導管に取り付けられている油圧回路を有するケーシングを備えている。この場合、油圧回路は、作動油用のリザーバを有する油圧ポンプを動かす減速ギヤ付きのモータを備え、装置全体が電子回路によって制御され、かつ、バッテリにより電力が供給されてモータの動作を制御する。ケーシングは、任意の部材に配置されうるように対象物に固定するための固定手段を備え、義歯の抜去のための当該義歯におけるヘッドの配置態様はエクステンダによって可能とある。例として、ケーシングは、ユーザの身体、棚、テーブル、車椅子、または椅子の背もたれに吊り下げられてもよい。
【００２２】
前記のように、コンパートメントのスペーサはインプラントに近接して配置され、スペーサが駆動されたときに変位し、義歯をインプラントに固着するための新規な副子部材またはインプラント副子部材の突出部を押圧し、これによりインプラントから義歯が取り外される。副子式の固着システムでは、本発明に係る新規な副子部材の端部がスペーサの段差部に当接する。独立した無副子式の、すなわち副子部材が無い固着システムにおいて、義歯が本発明に係る新規な付属部材に固定され、当該付属部材はインプラントの内部に配置され、貫通ネジによって固定される。付属部材は、コンパートメントに近接して配置され、義歯を持ち上げるためにスペーサの段差部が支持される新規な突出部を有している。新規の付属部材は、ユーザの顎骨に固定されたインプラントの内側多角形部分に相補的な多角形状の輪郭を有する外側部分を有し、外側多角形部分がインプラントの内側多角形に収容されてインプラントがねじ込まれるときの回転を防止する。選択される配置は多角形側面の数に依存し、貫通ネジによって固定される。したがって、付属部材は、当該付属部材がインプラントに固定される前にコンパートメントに近接して配置され、続いて貫通ネジによってその位置に固定され、かつ、スペーサの段差部を支持する突出部を有する点にその新規性がある。
【００２３】
義歯をインプラントに固着するための新規なインプラント副子部材は、その端部においてスペーサの段差部と相補的な段差部を有し、スペーサの段差部が当該段差部により支持され、スペーサが駆動されたときに当該段差部に押圧される。
【図面の簡単な説明】
【００２４】
【図１】ヘッドの第１プランジャが義歯に導入される待機状態にある本発明の抜去装置の断面側面図およびこの状態におけるヘッドの詳細図。
【図２】義歯を抜去するために第１プランジャが動かされた状態における、本発明の抜去装置の図１に対応する断面側面図およびこの状態におけるヘッドの詳細図。
【図３】本発明の義歯の一実施形態の斜視図。
【図４】義歯を抜去するために装置のヘッドが導入されている状態における、義歯に含まれるコンパートメントの斜視図。
【図５】閉位置における義歯のコンパートメントに含まれ、義歯を抜去するための開放部材の一実施形態の斜視図。
【図６】義歯を抜去するために開放部材が開いている状態における図５の対応図。
【図７】義歯内部に収容された開放部材が取り付けられた状態のコンパートメントの斜視図。
【図８】取り外し前におけるコンパートメントに導入された装置のヘッドの断面図。
【図９】ヘッドの第１プランジャが動かされてインプラントを抜去する際の図８の対応図。
【図１０】図１１ａ〜図１１ｃに示されているインプラントに義歯を取り付けるための新たな副子部材が使用される場合に義歯を抜去するための、図９に示されている第１プランジャが動かされた状態における一部が破断された義歯の斜視図。
【図１１ａ】義歯の抜去を可能にしながら、副子が無い独立したインプラント固着システム、すなわち副子部材を備えていないインプラントに義歯を固定するための新規な部材の斜視図。
【図１１ｂ】図１１ａの部材の断面図。
【図１１ｃ】図１１ａの部材の側面図。
【図１２】義歯が抜去された際の図１０に示されている他の断面図。
【図１３】新規の副子部材によって義歯が取り付けられ、義歯の抜去を可能とするための開放初期段階での新規部材におけるスペーサの段差部の配置態様を示す図１２の対応図。
【図１４】制御回路によって制御される油圧ポンプにより第１プランジャが駆動される、本発明の装置の他の実施形態の説明図。
【発明を実施するための形態】
【００２５】
本発明は、義歯（ｇ）、義歯を抜去するための抜去装置、無副子式のインプラント固着システムによって義歯をインプラントに固着するための副子部材、およびインプラントに義歯を副子式で固着するための副子部材に関する。
【００２６】
義歯（ｇ）は、義歯（ｇ）の側方開口部（２８）に対応して配置された側方開口部（１ａ）を有する、好ましくは金属製のコンパートメント（１）を備えている。コンパートメント（１）は、シャフト（２ｂ）に関節方式で連結された２つのアーム（２ａ）によって形成された、好ましくは金属製のスペーサ（２）を備えている。アーム（２ａ）は、その一方の端部においてコンパートメント（１）の側方開口部（１ａ）に面しているキャビティ（２ｃ）を有している。当該構成は小さな鋏のようであり、第１プランジャ（３）がキャビティ（２ｃ）に導入された場合、鋏が開くように各アーム（２ａ）の端部が相互に離間する。本実施形態では、コンパートメント（１）の後側に配置されている一端部およびその反対側にあるキャビティ（２ｃ）を有する他端部は、ピン（２ｅ）によってコンパートメント（１）に対して回転可能に固定され、他方のアームの同一端部は、後述するようにインプラントが支持される段差部（２ｄ）、好ましくはインプラントエンドを備えている。
【００２７】
さらに、コンパートメント（１）は、開口部（１ａ）が開設されているサイドフレア（２ｆ）を有し、第１プランジャ（３）がキャビティ（２ｃ）に導入された場合、キャビティ（２ｃ）を有するアーム（２ａ）の一端部が開き、反対側の他端部においてはインプラントに近接するまたは当接する上側端部でのみ開き、アーム（２ａ）を開くための全行程が当該端部に適用され、義歯（ｇ）がインプラントから離間させる。
【００２８】
副子部材（２７）（図１２参照）を有する副子式のインプラント固着システムにおいて、副子部材（２７）の事実上の端部（２７ａ）が段差部（２ｄ）に当接し、当該端部（２ｄ）が段差部（２ｄ）に相補的な段差部を有している。インプラント（３０）に配置され、貫通ネジ（３１）によってインプラント（３０）に対して固定されている付属部材（２９）（図１０，図１１ａ〜図１１ｃおよび図１２参照）に義歯が固定される、独立した無副子式の固着システムにおいて、コンパートメント（１）に近接または隣接して配置された付属部材（２９）に突出部（２９ａ）が設けられ、かつ、義歯（ｇ）を持ち上げるために段差部（２ｄ）が当該突出部（２９ａ）により支持される。
【００２９】
したがって、本発明は、前記のように副子式のインプラント固着のための新規な副子部材（２７）を提供し、かつ、無副子式のインプラント固着システムにおいてインプラント（３０）に義歯（ｇ）を取り付けるための新規の副子部材を提供する。この場合、当該部材は新規な付属部材（２９）により構成され、前記のように鋏のようにスペーサ（２）によって義歯が抜去されるように突出部（２９ａ）と協働する点に新規性がある。突出部（２９ａ）を適切な位置に保持するため、従来考えられていたように、付属部材（２９）は、インプラント（３０）の内側多角形部分（３０ａ）に相補的な多角形の輪郭を有する外側部分（２９ｂ）を有している。突起（２９ａ）がコンパートメント（１）に近接している位置で、外側多角形部分（２９ｂ）がインプラント（３０）の内側多角形部分（３０ａ）に収容される。外側多角形部分（２９ｂ）が、貫通ネジ（３１）によりこの位置で固定され、段差部（２ｄ）が突出部（２９ａ）により支持される。本発明は、コンパートメント（１）への食物の侵入を防止するため、側方開口部（１ａ）が可撓性材料（図示せず）からなるメンブレンで覆われていてもよい。
【００３０】
コンパートメント（１）およびスペーサ（２）のアセンブリは、義歯、またはハウジングおよび開口部（２８）のミリング加工により得られた既製の義歯に挿入された金型の内部における樹脂包摂過程において、新規の義歯（ｇ）に設置されてもよい。
【００３１】
抜去装置は、本発明の一実施形態ではヘッド（ａ）、ネック（ｂ）およびハンドル（ｃ）を備え（図１および図２参照）、他の実施形態ではヘッド（ａ）、ネック（ｂ）、延長管（ｄ）および制御ボックス（ｅ）を備えている（図１４参照）。
【００３２】
ヘッド（ａ）は、好ましくは金属製の部品により構成され、その前端部にパンチ（３ａ）が設けられ、かつ、傾斜フレア（３ｂ）が設けられている第１プランジャ（３）を備えている。傾斜フレア（３ｂ）および拡張可能部材（４）が当接した状態で第１プランジャ（３）を包囲するように、好ましくは金属製の拡張可能部材（４）が傾斜フレア（３ｂ）に連結されている。傾斜フレア（３ｂ）および拡張可能部材（４）は、リング（５）により担持されているコイルバネ（９）の作用によって定位置に保持され、雌ネジを有するカバー（６）によってヘッド（ａ）に固定されている。この構成は、第１プランジャ（３）およびパンチ（３ａ）が前方に変位する場合、拡張可能部材（４）に設けられた周縁リップ（４ａ）によりコンパートメント（１）の側方開口部（１ａ）に装置を固着させるため、拡張可能部材（４）が拡張する一方、第１プランジャ（３）およびパンチ（３ａ）が後方に変位する場合、拡張可能部材（４）が閉じて初期状態に戻ることを意味している。リング（５）、コイルバネ（９）およびカバー（６）は、第１プランジャ（３）の変位過程で拡張可能部材（４）を適当な位置に保持する。第１プランジャ（３）は、チャンバ（７）の内部に配置されている。チャンバ（７）の後部は作動油導管（８）に連通している。作動油導管（８）は、チャンバ（７）の後部に作動油を導入しまたはチャンバ（７）の後部から作動油を導出させて、第１プランジャ（３）およびパンチ（３ａ）前進運動および後退運動を実現する。作動油の排出により、第１プランジャ（３）およびパンチ（３ａ）が後方に移動し、その間に拡張可能部材（４）が閉じ、作動油の充填により、作動油が前方に移動して拡張可能部材（４）を開く。
【００３３】
ヘッド（ａ）を取り外し可能とするように、装置のネック（ｂ）が螺合される端部を有する延長部（１０）をヘッド（ａ）が有している。
【００３４】
ネック（ｂ）は、ヘッド（ａ）をハンドル（ｃ）に対して結合する部材であり、本質的に作動油が流通する導管（８）に通じる管状部材であり、ヘッド（ａ）に近接して配置された制御機能のためのワイヤを有していてもよい。ネック（ｂ）は、義歯（ｇ）のコンパートメント（１）の側方開口部（１ａ）にヘッド（ａ）が難なく導入され、かつ、患者の口腔に指を入れる必要ない程度に十分に長い。さらに、ネック（ｂ）は、ユーザによる操作によって、ヘッド（ａ）に過大な負荷がかかることを防止するために可撓性材料で作られている。
【００３５】
ハンドル（ｃ）は、ネジ付きブッシュ（１３）が螺合されるネジ（１２）を備えている。ネジ（１２）は、筒状の油圧チャンバとして機能するため、ネック（ｂ）を構成する管を介して導管（８）に接続する導管および第２プランジャ（１３）を内部に有している。第２プランジャ（１３）は、減速ギヤおよびビルトイン式の干渉防止電子回路を有する電動モータ（１５）によって回動されるネジ付きブッシュ（１４）と共に動く。第２プランジャ（１３）は、ネジ付きブッシュ（１４）と一体的に内部で動くのではなく、内部で回転し、ネジ（１２）およびネジ付きブッシュ（１４）の導管において摩擦および横方向の疲労を回避するために軸線方向にのみ動く。モータ（１５）が回転することにより、ネジ（１２）に対してネジ付きブッシュ（１４）をネジ止め方向またはネジ外し方向に回転させ、第２プランジャ（１３）を動かし、作動油の注入または吸引を生じさせ、ヘッド（ｂ）の第１プランジャ（３）が動かされる。
【００３６】
さらに、ハンドル（ｃ）は、スイッチ（１６ａ）を有する電子回路（１６）と、接触式または誘導式の充電式バッテリまたはモータ（１５）を回転させる任意のエネルギー蓄電池などの任意のタイプのバッテリ（１８）と、を有する。これらの全部がケーシング（１９）の内部に封入され、カバー（２０）により気密に封止されている。
【００３７】
図１４は、装置のハンドル（ｃ）がケーシング（ｅ）で置換された本発明の他の実施形態を示しており、この実施形態ではボックス（２１）が、リークがなく油圧を維持する小型油圧ポンプ（２２）を有している。これはギヤポンプであってもよいが、蠕動ポンプまたは将来的に市販される他のタイプのポンプが使用されてもよい。ポンプ（２２）には、吸引過程においてヘッド（ａ）から排出される作動油が通過する小型のオイルリザーバ（２３）が組み込まれている。ポンプ（２２）は、減速ギヤ（２４）を介してモータ（２５）によって回転される。ポンプ（２２）は、（例えば、モータの動作電流を制御することによって）ストロークの開閉および停止または過圧を制御する電子回路（２６）を有し、さらにモータ（２２）を回転するために電気回路に電力供給する任意のタイプの適当なバッテリ（１８）を有している。
【００３８】
ポンプ（２２）の出口は延長管（ｄ）に接続され、延長管（ｄ）は、ヘッド（ａ）のチャンバ（７）の後部に作動油を導入・導出するためにコネクタ（１１）によってネック（ｂ）に接続され、前記のように機能することができる。延長管（ｄ）は、ヘッド（ａ）を自由に操作することができ、かつ、使用中にボックス（２１）が、ベルト、ポケット、車椅子などに固定されるテーブルに配置されうるように可撓性である。使用されるコネクタ（１１）は、８バール以下の圧力のための従来型のコネクタである。
【００３９】
図１〜図１３の実施形態の場合、義歯（ｇ）を抜去するために、ヘッド（ａ）の第１プランジャ（３）が側方開口部（１ａ）に導入され、続いてスイッチ（１６ａ）が操作され、電子回路（１６）がモータ（１５）を駆動してネジ（１２）に螺合しているネジ付きブッシュ（１４）を回転させ、第２プランジャ（１３）を動かしてヘッド（ａ）に作動油の排出を開始させ、第１プランジャパンチ（３−３ａ）を外側に変位させ、側方開口部（１ａ）の内壁に当接している周縁リップ（４ａ）の配置によって側方開口部（１ａ）に固定されている金属製の拡張可能部材（４）を開ける。
【００４０】
第１プランジャパンチ（３−３ａ）は、スペーサ（２）の一端部においてキャビティ（２ｃ）に継続して進入して押し込まれ、スペーサ（２）を摺動させて開かせる。より具体的には、アーム（２ａ）が開くように、アーム（２ａ）のキャビティ（２ｃ）にパンチ（３ａ）が導入される。アーム（２ａ）は、スペーサ（２）の端部、より具体的にはその段差部（２ｄ）をインプラントに対して押圧することによって義歯のインプラントからの間隔を定める。スペーサ（２）の端部は、使用される取り付けシステムに依存して、前述したように部材（２７）の端部（２７ａ）であってもよく、取り付け箇所が離間された場合、残りの取り付け箇所が逐次的に離間され続ける。アーム（２ａ）が提供する離間の強さは、手を用いて提供され得るそれよりはるかに強い。
【００４１】
アーム（２ａ）を開き易くするため、キャビティ（２ｃ）は、義歯の後部に向かって横方向に延在し、パンチ（３ａ）のそれに相補的な形状を有している。これにより、アーム（１）の側方開口部（１ａ）にパンチ（３ａ）が導入された場合、スペーサ（２）のアーム（２ａ）を開き易くなる。
【００４２】
義歯（ｇ）は、金属表面同士の接触によりスペーサ（２）のアーム（２ｂ）と共に変位し、義歯（ｇ）が抜去される。
【００４３】
第１プランジャ（３）の前進運動の開始から、拡張可能部材（４）が周縁リップ（４ａ）により固定されたままであり、パンチ（３ａ）が圧力を加え、一度抜去された義歯（ｇ）がヘッド（ａ）に取り付けられたままである。
【００４４】
スイッチ（１６ａ）が再び操作されると、第１プランジャパンチ（３−３ａ）が後退し、拡張可能部材（４）が閉じるので、ユーザは義歯（ｇ）に触れることなく、義歯（ｇ）を所望の位置に配置することができる。
【００４５】
図１４の実施形態の場合、前記のようにケーシング（ｅ）に収容されている油圧回路により第１プランジャ（３）が動かされるほかは、動作は前述した動作と同様である。
【００４６】
必要であれば、義歯（ｇ）は、義歯（ｇ）を固定するための２つの端部、または抜去に必要な他の任意の箇所にコンパートメント（１）を有していてもよい。
【００４７】
金属製の部材を製造するため、表面処理されたステンレス鋼またはチタンのような非常に強度が高い材料を使用し、それらを高精度のミリング加工および旋盤加工および鋳造によって製造することが必要である。射出成形によって製造された樹脂部材も使用される。いくつかの分野で異なる表面仕上げおよび柔軟性を達成するため、高度な２流体射出およびプラスチック射出技術が使用される。
【図１】
0006595624.tif 000002
【図２】
0006595624.tif 000003
【図３】
0006595624.tif 000004
【図４】
0006595624.tif 000005
【図５】
0006595624.tif 000006
【図６】
0006595624.tif 000007
【図７】
0006595624.tif 000008
【図８】
0006595624.tif 000009
【図９】
0006595624.tif 000010
【図１０】
0006595624.tif 000011
【図１１ａ】
0006595624.tif 000012
【図１１ｂ】
0006595624.tif 000013
【図１１ｃ】
0006595624.tif 000014
【図１２】
0006595624.tif 000015
【図１３】
0006595624.tif 000016
【図１４】
0006595624.tif 000017